(57)【要約】  本発明の実施例は通信の技術分野に関し、基地局間の干渉の問題を解決できる干渉処理方法、装置及びシステムを提供する。その具体的な技術的解決手段は以下のとおりである。第２の基地局又は干渉管理装置であるターゲット装置は第１の基地局から送信された、第１の基地局が第２の基地局により干渉されたときの干渉パラメータを示すための干渉情報を受信し、ターゲット装置は該干渉パラメータに基づいて、該干渉の処理方法を決定する。本発明の実施例は基地局間の干渉の処理方法を決定するプロセスに適用される。
2021534619.tif 000002
【特許請求の範囲】
【請求項１】
第１の基地局から送信された、前記第１の基地局が第２の基地局により干渉されたときの干渉パラメータを示すための干渉情報を、前記第２の基地局又は干渉管理装置であるターゲット装置が受信することと、
前記ターゲット装置は前記干渉パラメータに基づいて、前記干渉の処理方式を決定することと、を含む、ことを特徴とする干渉処理方法。
【請求項２】
前記ターゲット装置は前記干渉管理装置であり、
前記ターゲット装置は前記干渉パラメータに基づいて、前記干渉の処理方式を決定することは、
前記干渉管理装置は前記干渉パラメータに基づいて、基準信号ＲＳの第１の送信リソースを含む前記ＲＳの第１のパラメータを指示するための第１の指示情報を前記第１の基地局及び前記第２の基地局に送信することと、
前記干渉管理装置は前記第２の基地局から送信された、前記第２の基地局が前記第１の基地局により前記第１の送信リソース上で送信された前記ＲＳを測定した結果である測定結果を受信することと、
前記干渉管理装置は前記測定結果に基づいて、前記処理方式を決定することと、を含む、ことを特徴とする請求項１に記載の方法。
【請求項３】
前記処理方式は、
前記干渉管理装置は、アクセスチャネルの情報を調整すること、前記第１の基地局の送信リソースを調整すること、変調・符号化方式ＭＣＳのレベルのうちの少なくとも１つを調整することを前記第１の基地局に指示するための第２の指示情報を前記第１の基地局に送信する第１の方式と、
前記干渉管理装置は、前記第２の基地局が、前記第２の基地局の送信電力を低下させること、前記第２の基地局が下りバックオフを行うこと、前記第２の基地局が前記送信電力を第１の持続時間低下させてから前記送信電力を増加すること、前記第２の基地局が下りバックオフを第２の持続時間行ってからそれを取り消すことのうちの少なくとも１つを指示するための第３の指示情報を前記第２の基地局に送信する第２の方式と、のうちの少なくとも１つを含む、ことを特徴とする請求項２に記載の方法。
【請求項４】
前記ターゲット装置は第１の基地局から送信された干渉情報を受信する前に、
前記干渉管理装置は前記第１の基地局から送信された、前記第１の基地局と前記干渉管理装置との間のインターフェースを確立するよう要求するための第１の要求メッセージを受信し、且つ前記第２の基地局から送信された、前記第２の基地局と前記干渉管理装置との間のインターフェースを確立するよう要求するための第２の要求メッセージを受信することと、
前記干渉管理装置は、前記第１の要求メッセージに基づいて、前記干渉管理装置と前記第１の基地局との間のインターフェースを確立し、且つ前記第２の要求メッセージに基づいて、前記干渉管理装置と前記第２の基地局との間のインターフェースを確立することと、をさらに含む、ことを特徴とする請求項２又は３に記載の方法。
【請求項５】
前記ターゲット装置は前記第２の基地局であり、前記処理方式は、前記第２の基地局が前記第２の基地局の送信電力を低下させること、前記第２の基地局が下りバックオフを行うこと、前記第２の基地局が前記送信電力を第３の持続時間低下させてから前記送信電力を増加すること、前記第２の基地局が下りバックオフを第４の持続時間行ってからそれを取り消すことのうちの少なくとも１つを含む、ことを特徴とする請求項１に記載の方法。
【請求項６】
前記ターゲット装置は第１の基地局から送信された干渉情報を受信する前に、
前記第１の基地局と前記第２の基地局との間のインターフェースを確立するよう要求するための第３の要求メッセージを前記第１の基地局から前記第２の基地局に送信するための第２の基地局の識別子を示すために使用されるシステム情報を送信することと、
前記第２の基地局は前記第１の基地局から送信された前記第３の要求メッセージを受信することと、
前記第２の基地局は前記第３の要求メッセージに基づいて、前記第２の基地局と前記第１の基地局との間のインターフェースを確立することと、をさらに含む、ことを特徴とする請求項５に記載の方法。
【請求項７】
前記第２の基地局は、前記処理方式に従って前記干渉を処理した後に、前記第２の基地局は第５の持続時間内で前記第１の基地局から送信された前記干渉情報を受信しない場合、前記第２の基地局は、前記第５の持続時間の後、前記第２の基地局と前記第１の基地局との間のインターフェースを解放することをさらに含む、ことを特徴とする請求項６に記載の方法。
【請求項８】
前記ターゲット装置は、前記処理方式に従って前記干渉を処理した後に、前記第１の基地局から送信された、前記第２の基地局による前記第１の基地局の干渉の程度が第１の閾値以下であることを示すためのフィードバック情報を受信することをさらに含む、ことを特徴とする請求項１に記載の方法。
【請求項９】
前記ターゲット装置は、前記第２の基地局による前記第１の基地局の干渉の程度が第１の閾値以下であると判定した場合、ＲＳの送信を停止するように前記第１の基地局に指示するための第４の指示情報を前記第１の基地局に送信すること、
又は、
前記ターゲット装置は、前記第２の基地局による前記第１の基地局の干渉の程度が前記第１の閾値以下であると判定した場合、前記ＲＳの第２の送信リソースを含むＲＳの第２のパラメータを指示するための第５の指示情報を前記第１の基地局及び前記第２の基地局に送信することをさらに含む、ことを特徴とする請求項１に記載の方法。
【請求項１０】
前記第２の基地局による前記第１の基地局の干渉の程度は、
前記第２の基地局から前記第１の基地局に送信されたＲＳの測定結果、及び前記第１の基地局から送信されたフィードバック情報のうちの少なくとも１つにより決定される、ことを特徴とする請求項８又は９記載の方法。
【請求項１１】
第１の基地局は、前記第２の基地局又は干渉管理装置であるターゲット装置に、前記第１の基地局が第２の基地局により干渉されたときの干渉パラメータを示すための干渉情報を送信することを含む、ことを特徴とする干渉処理方法。
【請求項１２】
前記ターゲット装置は前記干渉管理装置であり、
前記第１の基地局はターゲット装置に干渉情報を送信した後に、
前記第１の基地局は前記干渉管理装置から送信された、前記ＲＳの第１の送信リソースを含む基準信号ＲＳの第１のパラメータを指示するための第１のターゲット指示情報を受信することと、
前記第１の基地局は前記第１の送信リソース上で前記ＲＳを送信することと、をさらに含む、ことを特徴とする請求項１１に記載の方法。
【請求項１３】
前記第１の基地局はターゲット装置に干渉情報を送信する前に、
前記第１の基地局は、前記第１の基地局と前記干渉管理装置との間のインターフェースを確立するよう要求するための第１のターゲット要求メッセージを前記干渉管理装置に送信することをさらに含む、ことを特徴とする請求項１２に記載の方法。
【請求項１４】
前記ターゲット装置は前記第２の基地局であり、
前記第１の基地局はターゲット装置に干渉情報を送信する前に、
前記第１の基地局が干渉された場合、前記第１の基地局は信号強度が第１のターゲット閾値以上であり、且つ前記第２の基地局の識別子を含むターゲットシステム情報を取得することと、
前記第１の基地局は前記第２の基地局の識別子に基づいて、第１の基地局と前記第２の基地局との間のインターフェースを確立するよう要求するための第２のターゲット要求メッセージを前記第２の基地局に送信することと、
前記第１の基地局は前記第１の基地局と前記第２の基地局との間のインターフェースを確立することと、をさらに含む、ことを特徴とする請求項１１に記載の方法。
【請求項１５】
前記第２の基地局による前記第１の基地局の干渉の程度が第２のターゲット閾値以下である場合、前記第１の基地局は前記第１の基地局と前記第２の基地局との間のインターフェースを解放することを含む、ことを特徴とする請求項１４に記載の方法。
【請求項１６】
前記第２の基地局による前記第１の基地局の干渉の程度が第２のターゲット閾値以下である場合、前記第１の基地局は前記第２の基地局による前記第１の基地局の干渉の程度が第２のターゲット閾値以下であることを示すためのフィードバック情報を前記ターゲット装置に送信することをさらに含む、ことを特徴とする請求項１１に記載の方法。
【請求項１７】
前記第２の基地局による前記第１の基地局の干渉の程度が第２のターゲット閾値以下である場合、前記第１の基地局は前記ターゲット装置から送信された、ＲＳの送信を停止するように前記第１の基地局に指示するための第２のターゲット指示情報を受信すること、
又は、
前記第２の基地局による前記第１の基地局の干渉の程度が前記第２のターゲット閾値以下である場合、前記第１の基地局は前記ターゲット装置から送信された、前記ＲＳの第２の送信リソースを含むＲＳの第２のパラメータを指示するための第３のターゲット指示情報を受信すること、をさらに含む、ことを特徴とする請求項１１〜１６のいずれか一項に記載の方法。
【請求項１８】
第２の基地局又は干渉管理装置であるターゲット装置であって、
第１の基地局から送信された、前記第１の基地局が前記第２の基地局により干渉されたときの干渉パラメータを示すための干渉情報を受信するための受信ユニットと、
前記受信ユニットが受信した前記干渉情報で示される前記干渉パラメータに基づいて、前記干渉の処理方式を決定するための決定ユニットと、を含む、ことを特徴とするターゲット装置。
【請求項１９】
前記ターゲット装置は前記干渉管理装置であり、
前記決定ユニットは、具体的には、前記干渉パラメータに基づいて、基準信号ＲＳの第１の送信リソースを含む前記ＲＳの第１のパラメータを指示するための第１の指示情報を前記第１の基地局及び前記第２の基地局に送信し、且つ前記第２の基地局から送信された、前記第２の基地局が前記第１の基地局により前記第１の送信リソース上で送信された前記ＲＳを測定した結果である測定結果を受信するとともに、前記測定結果に基づいて、前記処理方式を決定するために使用される、ことを特徴とする請求項１８に記載のターゲット装置。
【請求項２０】
前記処理方式は、
前記干渉管理装置は、第１のアクセスチャネルの情報を調整すること、前記第１の基地局の送信リソースを調整すること、変調・符号化方式ＭＣＳのレベルのうちの少なくとも１つを調整することを前記第１の基地局に指示するための第２の指示情報を前記第１の基地局に送信する第１の方式と、
前記干渉管理装置は、前記第２の基地局が前記第２の基地局の送信電力を低下させること、前記第２の基地局が下りバックオフを行うこと、前記第２の基地局が前記送信電力を第１の持続時間低下させてから前記送信電力を増加すること、前記第２の基地局が下りバックオフを第２の持続時間行ってからそれを取り消すことのうちの少なくとも１つを指示するための第３の指示情報を前記第２の基地局に送信する第２の方式と、のうちの少なくとも１つを含む、ことを特徴とする請求項１９に記載のターゲット装置。
【請求項２１】
前記受信ユニットはさらに、前記第１の基地局から送信された前記干渉情報を受信する前に、前記第１の基地局から送信された、前記第１の基地局と前記干渉管理装置との間のインターフェースを確立するよう要求するための第１の要求メッセージを受信し、且つ前記第２の基地局から送信された、前記第２の基地局と前記干渉管理装置との間のインターフェースを確立するよう要求するための第２の要求メッセージを受信するために使用され、
前記受信ユニットが受信した前記第１の要求メッセージに基づいて、前記干渉管理装置と前記第１の基地局との間のインターフェースを確立し、且つ前記受信ユニットが受信した前記第２の要求メッセージに基づいて、前記干渉管理装置と前記第２の基地局との間のインターフェースを確立するための確立ユニットをさらに含む、ことを特徴とする請求項１９又は２０に記載のターゲット装置。
【請求項２２】
前記ターゲット装置は前記第２の基地局であり、
前記処理方式は、前記第２の基地局が前記第２の基地局の送信電力を低下させること、前記第２の基地局が下りバックオフを行うこと、前記第２の基地局が前記送信電力を第３の持続時間低下させてから前記送信電力を増加すること、前記第２の基地局が下りバックオフを第４の持続時間行ってからそれを取り消すこと、のうちの少なくとも１つを含む、ことを特徴とする請求項１８に記載のターゲット装置。
【請求項２３】
送信ユニットと確立ユニットをさらに含み、
前記第１の基地局から送信された前記第３の要求メッセージを受信することにさらに使用される前記受信ユニットは、前記第１の基地局から送信された前記干渉情報を受信する前に、前記送信ユニットは、前記第１の基地局と前記第２の基地局との間のインターフェースを確立するよう要求するための第３の要求メッセージを前記第１の基地局から前記第２の基地局に送信するために使用される前記第２の基地局の識別子を示すためのシステム情報を送信し、
前記確立ユニットは、前記受信ユニットが受信した前記第３の要求メッセージに基づいて、前記第２の基地局と前記第１の基地局との間のインターフェースを確立する、ことを特徴とする請求項２２に記載のターゲット装置。
【請求項２４】
前記第２の基地局は、前記処理方式に従って前記干渉を処理した後に、第２の基地局が第５の持続時間内で前記第１の基地局から送信された前記干渉情報を受信しない場合、前記第５の持続時間の後、前記確立ユニットにより確立された前記第２の基地局と前記第１の基地局との間のインターフェースを解放するための解放ユニットをさらに含む、ことを特徴とする請求項２３に記載のターゲット装置。
【請求項２５】
前記ターゲット装置が前記処理方式に従って前記干渉を処理した後に、前記受信ユニットはさらに、前記第１の基地局から送信された、前記第２の基地局による前記第１の基地局の干渉の程度が第１の閾値以下であることを示すためのフィードバック情報を受信するために使用される、ことを特徴とする請求項１８に記載のターゲット装置。
【請求項２６】
前記ターゲット装置は前記第２の基地局による前記第１の基地局の干渉の程度が第１の閾値以下であると判定した場合、前記第１の基地局がＲＳの送信を停止するように指示するための第４の指示情報を前記第１の基地局に送信し、又は、前記ターゲット装置は前記第２の基地局による前記第１の基地局の干渉の程度が前記第１の閾値以下であると判定した場合、ＲＳの第２の送信リソースを含むＲＳの第２のパラメータを指示するための第５の指示情報を前記第１の基地局及び前記第２の基地局に送信するために使用される送信ユニットをさらに含む、ことを特徴とする請求項１８に記載のターゲット装置。
【請求項２７】
前記第２の基地局による前記第１の基地局の干渉の程度は、
前記第２の基地局から前記第１の基地局に送信されたＲＳの測定結果、及び前記第１の基地局から送信されたフィードバック情報のうちの少なくとも１つにより決定される、ことを特徴とする請求項２５又は２６に記載のターゲット装置。
【請求項２８】
第１の基地局である基地局であって、
第１の基地局が第２の基地局により干渉されたときの干渉パラメータを示すための干渉情報を前記第２の基地局又は干渉管理装置であるターゲット装置に送信するための送信ユニットを含む、ことを特徴とする基地局。
【請求項２９】
前記ターゲット装置は前記干渉管理装置であり、
前記送信ユニットは、前記ターゲット装置に前記干渉情報を送信した後に、前記基地局は、前記干渉管理装置から送信された、ＲＳの第１の送信リソースを含む基準信号ＲＳの第１のパラメータを指示するための第１のターゲット指示情報を受信するための受信ユニットをさらに含み、
前記送信ユニットは、前記受信ユニットが受信した前記第１のターゲット指示情報で指示された前記第１の送信リソース上で前記ＲＳを送信する
ことを特徴とする請求項２８に記載の基地局。
【請求項３０】
前記送信ユニットはさらに、前記ターゲット装置に前記干渉情報を送信する前に、前記第１の基地局と前記干渉管理装置との間のインターフェースを確立するよう要求するための第１のターゲット要求メッセージを前記干渉管理装置に送信する、ことを特徴とする請求項２９に記載の基地局。
【請求項３１】
前記ターゲット装置は前記第２の基地局であり、
前記基地局は、取得ユニットと確立ユニットをさらに含み、
前記送信ユニットは、前記ターゲット装置に前記干渉情報を送信する前に、前記取得ユニットは、前記第１の基地局が干渉された場合、信号強度が第１のターゲット閾値以上である、前記第２の基地局の識別子を含むターゲットシステム情報を取得し、
前記送信ユニットは、前記取得ユニットにより取得されたターゲットシステム情報に含まれる前記第２の基地局の識別子に基づいて、前記第１の基地局と前記第２の基地局との間のインターフェースを確立するよう要求するための第２のターゲット要求メッセージを前記第２の基地局に送信し、
前記確立ユニットは、前記第１の基地局と前記第２の基地局との間のインターフェースを確立する、ことを特徴とする請求項２８に記載の基地局。
【請求項３２】
前記第２の基地局による前記第１の基地局の干渉の程度が第２のターゲット閾値以下である場合、前記確立ユニットにより確立された前記第１の基地局と前記第２の基地局との間のインターフェースを解放するための解放ユニットをさらに含む、ことを特徴とする請求項３１に記載の基地局。
【請求項３３】
前記送信ユニットはさらに、前記第２の基地局による前記第１の基地局の干渉の程度が第２のターゲット閾値以下である場合、前記第２の基地局による前記第１の基地局の干渉の程度が第２のターゲット閾値以下であることを示すためのフィードバック情報を前記ターゲット装置に送信する、ことを特徴とする請求項２８に記載の基地局。
【請求項３４】
前記第２の基地局による前記第１の基地局の干渉の程度が第２のターゲット閾値以下である場合、前記ターゲット装置から送信された、ＲＳの送信を停止するように前記第１の基地局に指示するための第２のターゲット指示情報を受信し、又は、前記第２の基地局による前記第１の基地局の干渉の程度が前記第２のターゲット閾値以下である場合、前記ターゲット装置から送信された、前記ＲＳの第２の送信リソースを含むＲＳの第２のパラメータを指示するための第３のターゲット指示情報を受信する受信ユニットをさらに含む、ことを特徴とする請求項２８〜３３のいずれか一項に記載の基地局。
【請求項３５】
第２の基地局又は干渉管理装置であるターゲット装置であって、
プロセッサと、メモリと、前記メモリに記憶され、且つ前記プロセッサ上で実行可能な、前記プロセッサにより実行されるときに請求項１〜１０のいずれか一項に記載の干渉処理方法を実現するコンピュータプログラムと、を含む、ことを特徴とするターゲット装置。
【請求項３６】
第１の基地局である基地局であって、
プロセッサと、メモリと、前記メモリに記憶され、且つ前記プロセッサ上で実行可能な、前記プロセッサにより実行されるときに請求項１１〜１７のいずれか一項に記載の干渉処理方法を実現するコンピュータプログラムと、を含む、ことを特徴とする基地局。
【請求項３７】
請求項１８〜２７のいずれか一項に記載のターゲット装置と、請求項２８〜３４のいずれか一項に記載の基地局とを含む、又は、請求項３５に記載のターゲット装置と、請求項３６に記載の基地局とを含む、ことを特徴とする通信システム。
【発明の詳細な説明】
【技術分野】
【０００１】
関連出願の相互参照
本願は、２０１８年０８月１０日に中国特許局に提出された、出願番号２０１８１０９１０８６２．６、発明の名称「干渉処理方法、装置及びシステム」の中国特許出願の優先権を主張し、その全ての内容が参照により本願に組み込まれる。
【０００２】
本発明の実施例は、通信の技術分野に関し、特に干渉処理方法、装置及びシステムに関する。
【背景技術】
【０００３】
通信システムにおいて、基地局は他の装置（例えば、ユーザー装置、そのほかの基地局、コアネットワーク装置など）とインタラクションすることができる。
【０００４】
現在、基地局と他の装置とのインタラクション最中に、該基地局は他の装置に信号を送信する場合、該基地局の近所に位置する他の基地局は該基地局から送信された信号を受信する可能性があり、その時、他の基地局はデータを送信している場合は、天候の状況、基地局の高い送信電力及び高いアンテナ位置などの要因の影響下で、他の基地局は該基地局から送信された信号により干渉される可能性がある。このように、基地局間に干渉がある可能性がある。
【発明の概要】
【発明が解決しようとする課題】
【０００５】
本発明の実施例は基地局間に干渉があるという問題を解決できる干渉処理方法、装置及びシステムを提供する。
【課題を解決するための手段】
【０００６】
上記技術的問題を解決するために、本発明の実施例は以下の技術的解決手段を採用する。
【０００７】
本発明の実施例の第１の態様では、第２の基地局又は干渉管理装置であるターゲット装置は、第１の基地局から送信された、第１の基地局が第２の基地局により干渉されたときの干渉パラメータを示すための干渉情報を受信することと、ターゲット装置は干渉パラメータに基づいて、干渉の処理方式を決定することと、を含む干渉処理方法を提供する。
【０００８】
本発明の実施例の第２の態様では、第１の基地局は、第２の基地局又は干渉管理装置であるターゲット装置に、第１の基地局が第２の基地局により干渉されたときの干渉パラメータを示すための干渉情報を送信することを含む干渉処理方法を提供する。
【０００９】
本発明の実施例の第３の態様では、第２の基地局又は干渉管理装置であるターゲット装置を提供し、該ターゲット装置は、受信ユニットと決定ユニットを含む。ここで、受信ユニットは、第１の基地局から送信された、第１の基地局が第２の基地局により干渉されたときの干渉パラメータを示すための干渉情報を受信するために使用される。決定ユニットは、受信ユニットが受信した干渉情報で示される干渉パラメータに基づいて、干渉の処理方式を決定するために使用される。
【００１０】
本発明の実施例の第４の態様では、第１の基地局である基地局を提供し、該基地局は、送信ユニットを含む。ここで、送信ユニットは、第２の基地局又は干渉管理装置であるターゲット装置に、第１の基地局が第２の基地局により干渉されたときの干渉パラメータを示すための干渉情報を送信するために使用される。
【００１１】
本発明の実施例の第５の態様では、第２の基地局又は干渉管理装置であるターゲット装置を提供し、該ターゲット装置は、プロセッサと、メモリと、該メモリに記憶され、且つ該プロセッサ上で実行可能なコンピュータプログラムを含む。ここで、該コンピュータプログラムは、該プロセッサにより実行されるときに第１の態様に記載の干渉処理方法を実現する。
【００１２】
本発明の実施例の第６の態様では、第１の基地局である基地局を提供し、該基地局は、プロセッサと、メモリと、該メモリに記憶され、且つ該プロセッサ上で実行可能なコンピュータプログラムを含む。ここで、該コンピュータプログラムは、該プロセッサにより実行されるときに第２の態様に記載の干渉処理方法を実現する。
【００１３】
本発明の実施例の第７の態様では、通信システムを提供し、該通信システムは、第３の態様に記載のターゲット装置と、第４の態様に記載の基地局とを含み、又は該通信システムは、第５の態様に記載のターゲット装置と、第６の態様に記載の基地局とを含む。
【００１４】
本発明の実施例の第８の態様では、コンピュータプログラムが記憶されるコンピュータ読み取り可能記憶媒体を提供し、該コンピュータプログラムは、プロセッサにより実行されるときに第１の態様に記載の干渉処理方法、又は第２の態様に記載の干渉処理方法を実現する。
【発明の効果】
【００１５】
本発明の実施例では、ターゲット装置は、第１の基地局から送信された干渉情報（該干渉情報は第１の基地局が第２の基地局により干渉されたときの干渉パラメータを示すために使用される）を受信し、且つ該干渉パラメータに基づいて干渉の処理方式を決定することができる。ターゲット装置は、第１の基地局が第２の基地局により干渉されたときの干渉パラメータに基づいて、干渉の処理方式を決定して、第２の基地局による第１の基地局の干渉を処理することができるため、第２の基地局による第１の基地局の干渉を低減することができ、それにより第１の基地局と第２の基地局との間の信号伝送性能を向上させることができる。
【図面の簡単な説明】
【００１６】
【図１】本発明の実施例による通信システムのアーキテクチャ図その一である。
【図２】本発明の実施例による通信システムのアーキテクチャ図その二である。
【図３】本発明の実施例による干渉処理方法の模式図その一である。
【図４】本発明の実施例による干渉処理方法の模式図その二である。
【図５】本発明の実施例による干渉処理方法の模式図その三である。
【図６】本発明の実施例による干渉処理方法の模式図その四である。
【図７】本発明の実施例による干渉処理方法の模式図その五である。
【図８】本発明の実施例によるターゲット装置の構造模式図その一である。
【図９】本発明の実施例によるターゲット装置の第２の構造模式図その二である。
【図１０】本発明の実施例によるターゲット装置の第３の構造模式図その三である。
【図１１】本発明の実施例による基地局の構造模式図その一である。
【図１２】本発明の実施例による基地局の構造模式図その二である。
【図１３】本発明の実施例による基地局の構造模式図その三である。
【図１４】本発明の実施例による基地局の構造模式図その四である。
【図１５】本発明の実施例による干渉管理装置のハードウェアの模式図である。
【図１６】本発明の実施例による基地局のハードウェアの模式図である。
【発明を実施するための形態】
【００１７】
以下に本発明の実施例における図面を参照して本発明の実施例における技術的解決手段を、明瞭且つ完全に説明し、もちろん、説明される実施例は本発明の一部の実施例であり、全ての実施例ではない。本発明の実施例に基づいて、当業者が創造的な労力を要さずに想到し得る他のすべての実施例は、いずれも本発明の技術的範囲に属する。
【００１８】
本発明の実施例の明細書及び特許請求の範囲における「第１の」や「第２の」などの用語は異なるターゲットを区別するためのものであり、ターゲットの特定の順序を説明するためのものではない。例えば、第１の指示情報や第２の指示情報などは異なる指示情報を区別するためのものであり、指示情報の特定の順序を説明するためのものではない。本発明の実施例の説明では、特に断りのない限り、「複数」は２つ以上を意味する。
【００１９】
本願における「及び／又は」という用語は、関連付けられたターゲットの関連関係を説明するものであり、３種の関係が存在可能であることを示し、例えば、Ａ及び／又はＢは、Ａが単独で存在し、ＡとＢが同時に存在し、Ｂが単独で存在するという３種の状況を示すことができる。本願における「／」は、関連付けられたターゲットが「又は」の関係であることを示し、例えば、Ａ／ＢはＡ又はＢを示す。
【００２０】
本発明の実施例では、「例示的」又は「例えば」などの用語は、例、例証又は説明を示すために使用される。本発明の実施例では、「例示的」又は「例えば」として説明される任意の実施例又は設計案は、他の実施例又は設計案より好ましい又はよりよいと解釈されるべきではない。確実に言えば、「例示的」又は「例えば」などの用語の使用は関連する概念を具体的な方法で示すことを目指す。
【００２１】
本発明の実施例は干渉処理方法、装置及びシステムを提供し、ターゲット装置は、第１の基地局から送信された干渉情報（該干渉情報は第１の基地局が第２の基地局により干渉されたときの干渉パラメータを示すために使用される）を受信し、且つ該干渉パラメータに基づいて干渉の処理方式を決定することができる。ターゲット装置は、第１の基地局が第２の基地局により干渉されたときの干渉パラメータに基づいて、干渉の処理方式を決定して、第２の基地局による第１の基地局の干渉を処理することができるため、第２の基地局による第１の基地局の干渉を低減することができ、それにより第１の基地局と第２の基地局との間の信号伝送性能を向上させることができる。
【００２２】
本発明の実施例による干渉処理方法、装置及びシステムは、通信システムに適用されることができる。具体的には、それらは、該通信システムに基づいて、ターゲット装置により２つの基地局の間に発生した干渉を処理する処理方式を決定するプロセスに適用されることができる。
【００２３】
例示的に、図１は本発明の実施例による通信システムのアーキテクチャ模式図を示す。図１に示すように、該通信システムは、第１の基地局０１と、第２の基地局０２と、干渉管理装置０３とを含むことができる。
【００２４】
ここで、第１の基地局０１と干渉管理装置０３との間は接続を確立して通信することができ、第２の基地局０２と干渉管理装置０３との間は接続を確立して通信することができる。
【００２５】
オプションとして、本発明の実施例では、第１の基地局０１は既存のネットワークインターフェース（例えば、Ｘ２インターフェース、Ｘｎインターフェース、Ｓ１インターフェース、ＮＧインターフェース、Ｆ１インターフェース、Ｉｔｆ  Ｎインターフェース又はＩｔｆＳインターフェースなど）を介して干渉管理装置０３に接続されることができ、新しいネットワークインターフェース（例えば、Ｘｒｉｍインターフェースなど）を介して干渉管理装置０３に接続されることもできる（図１にはＸｒｉｍインターフェースで示される）。第２の基地局０２は既存のネットワークインターフェース（例えば、Ｘ２インターフェース、Ｘｎインターフェース、Ｓ１インターフェース、ＮＧインターフェース、Ｆ１インターフェース、Ｉｔｆ  Ｎインターフェース又はＩｔｆ  Ｓインターフェースなど）を介して干渉管理装置０３に接続されることができ、新しいネットワークインターフェース（例えば、Ｘｒｉｍインターフェースなど）を確立することで干渉管理装置０３に接続されることもできる（図１中にＸｒｉｍインターフェースで示す）。
【００２６】
基地局（例えば、第１の基地局０１や第２の基地局０２など）は、無線アクセスネットワーク（Ｒａｄｉｏ  Ａｃｃｅｓｓ  Ｎｅｔｗｏｒｋ、ＲＡＮ）に配備される、ユーザー装置（Ｕｓｅｒ  Ｅｑｕｉｐｍｅｎｔ、ＵＥ）に無線通信機能を提供するための装置である。基地局は、様々な形態のマクロ基地局、マイクロ基地局、中継局、アクセスポイントなどを含むことができる。異なる無線アクセス技術を用いたシステムにおいて、基地局の機能を有する設備の名称は異なる場合がある。例えば、第３世代移動通信（３Ｇ）ネットワークでは、それらは、基地局（Ｎｏｄｅ  Ｂ）と呼ばれ、ロングタームエボリューション（Ｌｏｎｇ  Ｔｅｒｍ  ＥｖｏｌｕｔｉｏＮ、ＬＴＥ）システムでは、それらは、発展型基地局（ｅｖｏｌｖｅｄ  ＮｏｄｅＢ、ｅＮＢ又はｅＮｏｄｅＢ）と呼ばれ、第５の世代移動（５Ｇ）ネットワークでは、それらは、ｇＮＢと呼ばれるなどである。通信技術の進化に伴い、「基地局」という名称は変わる可能性がある。
【００２７】
干渉管理装置０３はネットワーク管理用装置（例えば、ＯＡＭ、即ち、操作（Ｏｐｅｒａｔｉｏｎ）、管理（Ａｄｍｉｎｉｓｔｒａｔｉｏｎ）、保守（Ｍａｉｎｔｅｎａｎｃｅ））又は第３者ノード（例えば、リモート干渉管理コーディネータ（Ｒｅｍｏｔｅ  Ｉｎｔｅｒｆｅｒｅ  Ｍａｎａｇｅｍｅｎｔ  Ｃｏｏｒｄｉｎａｔｏｒ、ＲＩＭＣ）など）であってもよい。干渉管理装置０３は第１の基地局０１と第２の基地局０２との間の干渉を調整処理するために使用される。なお、第１の基地局０１と第２の基地局０２が異なるネットワーク管理用装置（ＯＡＭ）に属する場合、この２つの基地局のＯＡＭの間は第１の基地局０１と第２の基地局０２との間の干渉関連情報（例えば、干渉情報や干渉指示情報など）をインタラクションすることができる。
【００２８】
オプションとして、ＲＩＭＣは、ＯＡＭとは異なる位置に配備されることができ、ＯＡＭと同じ位置に配備されることもできる。
【００２９】
例示的に、図２は本発明の実施例による別の通信システムのアーキテクチャ模式図を示す。図２に示すように、該通信システムは、第１の基地局０１と、第２の基地局０２とを含むことができる。ここで、第１の基地局０１と第２の基地局０２との間は接続を確立して通信することができる。
【００３０】
オプションとして、本発明の実施例では、第１の基地局０１はＸ２インターフェース又はＸｎインターフェースなどを確立することで第２の基地局０２に接続されることができる（図１中にＸ２インターフェースで示す）。
【００３１】
以下に、図面を参照して、具体的な実施例及びその適用シナリオにより、本発明の実施例による干渉処理方法、装置及びシステムを詳細に説明する。
【００３２】
なお、以下に２つの具体的な実施例（即ち、実施例１及び実施例２）により、それぞれ本発明の実施例による干渉処理方法を詳細に説明する。
【００３３】
本発明の実施例は干渉処理方法提供し、以下は、第１の基地局、第２の基地局及び干渉管理装置（ターゲット装置が干渉管理装置である）の間のインタラクション（実施例１）、及び第１の基地局と第２の基地局（ターゲット装置が第２の基地局である）との間のインタラクション（実施例２）を例として、本発明の実施例による干渉処理方法を例示的に説明する。
【００３４】
実施例１
図１に示すような通信システムに基づいて、本発明の実施例は干渉処理方法を提供し、図３に示すように、該干渉処理方法は下記のステップ１０１からステップ１０３を含むことができる。
【００３５】
ステップ１０１、第１の基地局は干渉管理装置に干渉情報を送信する。
【００３６】
本発明の実施例では、上記干渉情報は第１の基地局が第２の基地局により干渉されたときの干渉パラメータを示すために使用される。
【００３７】
オプションとして、本発明の実施例では、第１の基地局と第２の基地局との間の距離は遠い可能性があり、例えば、第１の基地局と第２の基地局との間の距離が閾値より大きい。
【００３８】
オプションとして、本発明の実施例では、第１の基地局と第２の基地局は、異なるメーカー又は同じメーカーに属し得る。
【００３９】
本発明の実施例では、第１の基地局が第２の基地局により干渉されたときに、第１の基地局は干渉管理装置に干渉情報を送信できることが理解され得る。
【００４０】
オプションとして、本発明の実施例では、第１の基地局は、信号強度を測定することで、第１の基地局が干渉されているか否かを判断することができる。
【００４１】
オプションとして、本発明の実施例では、上記干渉パラメータは、測定された信号強度、干渉の周波数ポイント、及び干渉のタイプなどのうちの少なくとも１つを含むことができる。
【００４２】
なお、基地局間の干渉は共通サイト干渉と共存干渉に分けられることができる。ここで、共通サイト干渉において、２つの基地局は、１つのサイトを共有し、距離が近く、且つ分離度が小さく、共存干渉において、２つの基地局は、１つのサイトを共有せず、距離が遠く、且つ分離度が大きい。
【００４３】
オプションとして、本発明の実施例では、図３を参照して、図４示すように、上記ステップ１０１の前に、本発明の実施例による干渉処理方法は下記のステップ２０１からステップ２０４をさらに含むことができる。
【００４４】
ステップ２０１、第１の基地局は干渉管理装置に第１の要求メッセージを送信する。
【００４５】
なお、本発明の実施例では、第１の要求メッセージは第１のターゲット要求メッセージに対応する。
【００４６】
本発明の実施例では、第１の要求メッセージは、第１の基地局と干渉管理装置との間のインターフェースの確立を要求するために使用される。
【００４７】
ステップ２０２、第２の基地局は、干渉管理装置に第２の要求メッセージを送信する。
【００４８】
本発明の実施例では、第２の要求メッセージは、第２の基地局と干渉管理装置との間のインターフェースの確立を要求するために使用される。
【００４９】
なお、本発明の実施例では、上記ステップ２０１及びステップ２０２の実行順序は限定されない。即ち、まず、ステップ２０１を実行し、次にステップ２０２を実行することができ、又は、まず、ステップ２０２を実行し、次にステップ２０１を実行することができ、又は、ステップ２０１とステップ２０２とを同時に実行することができる。
【００５０】
ステップ２０３、干渉管理装置は、第１の基地局から送信された第１の要求メッセージを受信し、且つ第２の基地局から送信された第２の要求メッセージを受信する。
【００５１】
なお、本発明の実施例では、干渉管理装置は、まず、第１の基地局から送信された第１の要求メッセージを受信し、次に第２の基地局から送信された第２の要求メッセージを受信することができ、又は、干渉管理装置は、まず、第２の基地局から送信された第２の要求メッセージを受信し、次に第１の基地局から送信された第１の要求メッセージを受信することができ、又は、干渉管理装置は、第１の基地局から送信された第１の要求メッセージと第２の基地局から送信された第２の要求メッセージとを同時に受信することができる。
【００５２】
ステップ２０４、干渉管理装置は、第１の要求メッセージに基づいて、干渉管理装置と第１の基地局との間のインターフェースを確立し、且つ第２の要求メッセージに基づいて、干渉管理装置と第２の基地局との間のインターフェースを確立する。
【００５３】
本発明の実施例では、干渉管理装置と第１の基地局との間のインターフェースを確立するとともに、干渉管理装置と第２の基地局との間のインターフェースを確立した後に、第１の基地局と干渉管理装置との間は干渉に関する情報をインタラクションすることができ、第２の基地局と干渉管理装置との間は干渉に関する情報をインタラクションすることもできることが理解され得る。
【００５４】
なお、干渉管理装置により確立された、干渉管理装置と第１の基地局との間のインターフェース、及び干渉管理装置と第２の基地局との間のインターフェースについて、上記実施例における説明を参照することができ、ここではその説明を省略する。
【００５５】
ステップ１０２、干渉管理装置は干渉情報を受信する。
【００５６】
ステップ１０３、干渉管理装置は、干渉情報で示される干渉パラメータに基づいて、干渉の処理方式を決定する。
【００５７】
本発明の実施例では、干渉管理装置は、干渉パラメータに基づいて、第１の基地局が第２の基地局により干渉されていると判定した後、該干渉を処理する処理方式を決定することができる。
【００５８】
オプションとして、本発明の実施例では、上記処理方式は下記の第１の方式と第２の方式のうちの少なくとも１つを含むことができる。ここで、第１の方式では、干渉管理装置は、アクセスチャネルの情報を調整すること、第１の基地局の送信リソースを調整すること、変調・符号化方式（Ｍｏｄｕｌａｔｉｏｎ  ａｎｄ  Ｃｏｄｉｎｇ  Ｓｃｈｅｍｅ、ＭＣＳ）のレベルのうちの少なくとも１つを調整／低下することを第１の基地局に指示するための第２の指示情報を第１の基地局に送信する。第２の方式では、干渉管理装置は、第２の基地局の送信電力を低下させること、第２の基地局が下りバックオフを行うこと、第２の基地局が送信電力を第１の持続時間低下させてから該送信電力を増加すること、第２の基地局が下りバックオフを第２の持続時間行ってからそれを取り消すことのうちの少なくとも１つを第２の基地局に指示するための第３の指示情報を第２の基地局に送信する。
【００５９】
オプションとして、本発明の実施例では、第１の持続時間と第２の持続時間は、同じであってもよいし、異なっていてもよい。
【００６０】
オプションとして、本発明の実施例では、上記アクセスチャネルの情報は、ランダムアクセスチャネル（Ｒａｎｄｏｍ  Ａｃｃｅｓｓ  Ｃｈａｎｎｅｌ、ＲＡＣＨ）の情報及び該ＲＡＣＨの機能と類似する新たに定義された上りチャネルの情報のうちの少なくとも１つを含むことができる。
【００６１】
オプションとして、本発明の実施例では、ＲＡＣＨの機能と類似する新たに定義された上りチャネルの情報はシーケンス情報を含むことができ、該シーケンス情報はシーケンスのインデックス（ｉｎｄｅｘ）情報、シーケンスのタイムドメインリソース、及びシーケンスの周波数ドメインリソースのうちの少なくとも１つを含むことができる。
【００６２】
オプションとして、本発明の実施例では、上記第１の基地局の送信リソースは第１の基地局のタイムドメインリソース及び／又は周波数ドメインリソースを含むことができる。
【００６３】
本発明の実施例は、干渉処理方法を提供し、干渉管理装置は、第１の基地局から送信された干渉情報（該干渉情報は第１の基地局が第２の基地局により干渉されたときの干渉パラメータを示すために使用される）を受信し、且つ該干渉パラメータに基づいて干渉の処理方式を決定することができる。干渉管理装置は、第１の基地局が第２の基地局により干渉されたときの干渉パラメータに基づいて、干渉の処理方式を決定して、第２の基地局による第１の基地局の干渉を処理することができるため、第２の基地局による第１の基地局の干渉を低減することができ、それにより第１の基地局と第２の基地局との間の信号伝送性能を向上させることができる。
【００６４】
オプションとして、本発明の実施例では、図５に示すように、図３を参照して、上記ステップ１０３は、具体的には、下記のステップ１０３ａからステップ１０３ｆにより実現されることができる。
【００６５】
ステップ１０３ａ、干渉管理装置は、干渉情報で示される干渉パラメータに基づいて、第１の基地局及び第２の基地局に第１の指示情報を送信する。
【００６６】
本発明の実施例では、上記第１の指示情報は基準信号（（Ｒｅｆｅｒｅｎｃｅ  Ｓｉｇｎａｌ、ＲＳ）の第１のパラメータを指示するために使用され、該第１のパラメータがＲＳの第１の送信リソースを含む。
【００６７】
なお、本発明の実施例では、第１の指示情報は第１のターゲット指示情報に対応する。
【００６８】
本発明の実施例では、干渉管理装置は、干渉情報で示される干渉パラメータに基づいて、ＲＩＭ機能をオンにし、且つ第１の基地局に第１の指示情報を送信して、第１の基地局がＲＳの第１のパラメータを送信するように第１の基地局に指示するとともに、第２の基地局に第１の指示情報を送信して、ＲＳの第１のパラメータを受信するように第２の基地局に指示することが理解され得る。
【００６９】
オプションとして、本発明の実施例では、上記ＲＳの第１の送信リソースはＲＳのタイムドメインリソース（又はＲＳのシーケンス位置）及びＲＳの周波数ドメインリソースのうちの少なくとも１つを含むことができる。
【００７０】
ステップ１０３ｂ、第１の基地局は第１の指示情報を受信し、第２の基地局は第１の指示情報を受信する。
【００７１】
ステップ１０３ｃ、第１の基地局は第１の指示情報で指示されたＲＳの第１の送信リソース上でＲＳを送信する。
【００７２】
ステップ１０３ｄ、第２の基地局は第１の指示情報で指示されたＲＳの第１の送信リソース上で第１の基地局から送信されたＲＳを受信し、且つ該ＲＳを測定して、測定結果を得る。
【００７３】
本発明の実施例では、上記測定結果は、第２の基地局が第１の基地局により第１の送信リソース上で送信されたＲＳを測定した結果である。
【００７４】
オプションとして、本発明の実施例では、第２の基地局はＲＳを測定するときに、該ＲＳの信号長、信号強度、信号品質などのうちの少なくとも１つを測定して、測定結果を得ることができる。
【００７５】
ステップ１０３ｅ、第２の基地局は干渉管理装置に測定結果を送信する。
【００７６】
ステップ１０３ｆ、干渉管理装置は、測定結果を受信し、且つ測定結果に基づいて、干渉の処理方式を決定する。
【００７７】
本発明の実施例では、干渉管理装置は、測定結果に基づいて、第１の基地局が第２の基地局により干渉されていると判定した後、該干渉を処理する処理方式を決定することができる。
【００７８】
本発明の実施例では、第２の基地局は、干渉管理装置から送信された第１の指示情報（該第１の指示情報はＲＳの第１の送信リソースを含むＲＳの第１のパラメータを指示するための第１のパラメータ第１の）に基づいて、第１の基地局が第１の送信リソース上で送信されたＲＳを測定して、測定結果を得ることができるため、干渉管理装置は、第２の基地局から送信された該測定結果に基づいて、干渉の処理方式を決定して、第２の基地局による第１の基地局の干渉を処理することができるため、第２の基地局による第１の基地局の干渉を低減することができ、それにより第１の基地局と第２の基地局との間の信号伝送性能を向上させることができる。
【００７９】
オプションとして、本発明の実施例では、上記ステップ１０３の後に、本発明の実施例による干渉処理方法は下記のステップ３０１からステップ３０３をさらに含むことができる。
【００８０】
ステップ３０１、干渉管理装置は干渉の処理方式に従って干渉を処理する。
【００８１】
オプションとして、本発明の実施例では、干渉管理装置は、第１の基地局が、ＲＡＣＨの情報の切り換え／調整、第１の基地局の送信リソースの切り換え、及びＭＣＳのレベルのうちの少なくとも１つの切り換え／低下を行うように指示するために、第１の基地局に第２の指示情報を送信することができ、及び／又は、干渉管理装置は、第２の基地局が第２の基地局の送信電力を低下させる、あるいは第２の基地局が下りバックオフを行うように指示するために、第２の基地局に第３の指示情報を送信することができる。
【００８２】
ステップ３０２、第２の基地局による第１基地局の干渉の程度は第１の閾値以下である場合、第１の基地局は干渉管理装置にフィードバック情報を送信する。
【００８３】
本発明の実施例では、上記フィードバック情報は、第２の基地局による第１基地局の干渉の程度が第１の閾値以下であることを示すために使用される。
【００８４】
なお、本発明の実施例では、第１の閾値は第２のターゲット閾値に対応する。
【００８５】
オプションとして、本発明の実施例では、第１の基地局は、信号強度を周期的／リアルタイムに測定して、第２の基地局による第１基地局の干渉の程度が第１の閾値以下であるか否かを判断することができる。
【００８６】
オプションとして、本発明の実施例では、第２の基地局による第１基地局の干渉の程度は、第２の基地局から第１の基地局に送信されたＲＳの測定結果、及び第１の基地局から送信されたフィードバック情報のうちの少なくとも１つにより決定される。
【００８７】
ステップ３０３、干渉管理装置は、第１の基地局から送信されたフィードバック情報を受信する。
【００８８】
本発明の実施例では、第２の基地局による第１基地局の干渉の程度が第１の閾値以下である場合、第１の基地局は、第２の基地局による第１基地局の干渉が既に低減したことを干渉管理装置にフィードバックするために、干渉管理装置にフィードバック情報を送信することができる。
【００８９】
オプションとして、本発明の実施例では、上記ステップ１０３の後に、本発明の実施例による干渉処理方法は、下記のステップ４０１からステップ４０３をさらに含むことができる。
【００９０】
ステップ４０１、干渉管理装置は干渉の処理方式に従って干渉を処理する。
【００９１】
ステップ４０２、干渉管理装置は、第２の基地局による第１基地局の干渉の程度が第１の閾値以下であると判定した場合、第１の基地局に第４の指示情報を送信する。
【００９２】
本発明の実施例では、上記第４の指示情報はＲＳの送信を停止するように第１の基地局に指示するために使用される。
【００９３】
なお、本発明の実施例では、第４の指示情報は第２のターゲット指示情報に対応する。
【００９４】
ステップ４０３、第１の基地局は、干渉管理装置から送信された第４の指示情報を受信し、且つ第４の指示情報の指示に従ってＲＳの送信を停止する。
【００９５】
オプションとして、本発明の実施例では、干渉管理装置は、第２の基地局による第１基地局の干渉の程度が第１の閾値以下であると判定した場合、ＲＩＭ機能をオフにすることができる。
【００９６】
本発明の実施例では、干渉管理装置は、第２の基地局による第１基地局の干渉の程度が第１の閾値以下であると判定した場合、第１の基地局に第４の指示情報を送信して、ＲＳの送信を停止するように第１の基地局に指示することができるため、第１の基地局は、第２の基地局による第１基地局の干渉の程度が第１の閾値以下である場合、ＲＳの送信を停止するようにすることができ、それにより第１の基地局のパワー消費を低減することができる。
【００９７】
オプションとして、本発明の実施例では、上記ステップ１０３の後に、本発明の実施例による干渉処理方法は、下記のステップ５０１からステップ５０３をさらに含むことができる。
【００９８】
ステップ５０１、干渉管理装置は干渉の処理方式に従って干渉を処理する。
【００９９】
ステップ５０２、干渉管理装置は、第２の基地局による第１基地局の干渉の程度が第１の閾値以下であると判定した場合、第１の基地局と第２の基地局に第５の指示情報を送信する。
【０１００】
本発明の実施例では、上記第５の指示情報は、ＲＳの第２の送信リソースを含むＲＳの第２のパラメータを指示するために使用される。
【０１０１】
なお、本発明の実施例では、第５の指示情報は第３のターゲット指示情報に対応する。
【０１０２】
なお、第２のパラメータの説明について、上記実施例における第１のパラメータの具体的な説明を参照でき、ここではその説明を省略する。
【０１０３】
ステップ５０３、第１の基地局は干渉管理装置から送信された第５の指示情報を受信し、第２の基地局は干渉管理装置から送信された第５の指示情報を受信する。
【０１０４】
なお、本発明の実施例では、上記ステップ５０３の後に、第１の基地局が第５の指示情報で指示されたＲＳの第２の送信リソース上でＲＳを送信するステップと、第２の基地局が第５の指示情報で指示されたＲＳの第２の送信リソース上で第１の基地局から送信されたＲＳを受信し、且つ該ＲＳを測定して測定結果を得るステップと、第２の基地局が干渉管理装置に測定結果を送信するステップと、干渉管理装置が測定結果を受信し、且つ測定結果に基づいて処理方式を決定するステップと、を実行し続けることができる。
【０１０５】
本発明の実施例では、干渉管理装置は、第２の基地局による第１基地局の干渉の程度が第１の閾値以下であると判定した場合、第１の基地局と第２の基地局に第５の指示情報を送信して、ＲＳの第２のパラメータ（該第２のパラメータがＲＳの第２の送信リソースを含む）を指示し、第２の基地局が第１の基地局により第２の送信リソース上で送信されたＲＳを測定して測定結果を得ることができるようにし、それにより干渉管理装置は、第２の基地局から送信された該測定結果に基づいて、干渉の処理方式を決定して、第２の基地局による第１の基地局の干渉を処理することができるため、第２の基地局による第１の基地局の干渉をより確実かつ効率的に低減することができ、それにより第１の基地局と第２の基地局との間の信号伝送機能をさらに向上させることができる。
【０１０６】
なお、本発明の実施例では、干渉管理装置は、第２の基地局による第１基地局の干渉の程度が第１の閾値以上であると判定した場合、上記実施例１におけるステップ１０１からステップ１０３、及び他のステップを繰り返し実行する。
【０１０７】
実施例２
図２に示すような通信システムに基づいて、本発明の実施例は干渉処理方法を提供し、図６に示すように、該干渉処理方法は下記のステップ６０１からステップ６０３を含むことができる。
【０１０８】
ステップ６０１、第１の基地局は第２の基地局に干渉情報を送信する。
【０１０９】
本発明の実施例では、上記干渉情報は第１の基地局が第２の基地局により干渉されたときの干渉パラメータを示すために使用される。
【０１１０】
なお、ステップ６０１の説明について、上記実施例のステップ１０１における具体的な説明を参照でき、ここではその説明を省略する。
【０１１１】
オプションとして、本発明の実施例では、図７に示すように、図６を参照して、上記ステップ６０１の前に、本発明の実施例による干渉処理方法は下記のステップ７０１からステップ７０５をさらに含むことができる。
【０１１２】
ステップ７０１、第２の基地局はシステム情報を送信する。
【０１１３】
本発明の実施例では、上記システム情報は、第１の基地局と第２の基地局との間のインターフェースを確立するよう要求するための第３の要求メッセージを第１の基地局により第２の基地局に送信するための第２の基地局の識別子を示すために使用される。
【０１１４】
本発明の実施例では、第２の基地局はブロードキャストの形式でシステム情報を送信することが理解され得る。
【０１１５】
オプションとして、本発明の実施例では、上記第２の基地局の識別子は第２の基地局によりサービスされるセルの識別子、例えば、セルグローバル識別子（Ｃｅｌｌ  Ｇｌｏｂａｌ  Ｉｄｅｎｔｉｆｉｅｒ、ＣＧＩ）、トラッキングエリアコード（Ｔｒａｃｋｉｎｇ  Ａｒｅａ  Ｃｏｄｅ、ＴＡＣ）、公衆陸上移動ネットワーク（Ｐｕｂｌｉｃ  Ｌａｎｄ  Ｍｏｂｉｌｅ  Ｎｅｔｗｏｒｋ、ＰＬＭＮ）であってもよい。
【０１１６】
ステップ７０２、第１の基地局が干渉された場合、第１の基地局がターゲットシステム情報を取得する。
【０１１７】
本発明の実施例では、上記ターゲットシステム情報の信号強度が第１のターゲット閾値以上であり、ターゲットシステム情報には第２の基地局の識別子が含まれる。
【０１１８】
本発明の実施例では、第１の基地局が干渉された場合、第１の基地局は複数の基地局（該複数の基地局が第２の基地局を含む）から送信されたシステム情報の信号強度を測定し、第２の基地局のシステム情報の信号強度が第１のターゲット閾値以上である場合、該第２の基地局のシステム情報はターゲットシステム情報として決定される。
【０１１９】
本発明の実施例では、第２の基地局のシステム情報の信号強度が第１のターゲット閾値以上である場合、第１の基地局が第２の基地局により干渉されると判定できることが理解され得る。
【０１２０】
ステップ７０３、第１の基地局は、ターゲットシステム情報に含まれる第２の基地局の識別子に基づいて、第２の基地局に第３の要求メッセージを送信する。
【０１２１】
なお、本発明の実施例では、第３の要求メッセージは第２のターゲット要求メッセージに対応する。
【０１２２】
ステップ７０４、第２の基地局は第３の要求メッセージを受信する。
【０１２３】
ステップ７０５、第１の基地局は第１の基地局と第２の基地局との間のインターフェースを確立し、第２の基地局は第３の要求メッセージに基づいて、第２の基地局と第１の基地局との間のインターフェースを確立する。
【０１２４】
本発明の実施例では、第１の基地局と第２の基地局との間のインターフェースを確立した後、第１の基地局と第２の基地局との間は干渉に関する情報をインタラクションでき、例えば、第１の基地局は第２の基地局に干渉情報を送信できることが理解され得る。
【０１２５】
なお、第１の基地局により確立された第１の基地局と第２の基地局との間のインターフェース、及び第２の基地局により確立された第２の基地局と第１の基地局との間のインターフェースについて、上記実施例における説明を参照でき、ここではその説明を省略する。
【０１２６】
ステップ６０２、第２の基地局は干渉情報を受信する。
【０１２７】
ステップ６０３、第２の基地局は干渉情報で示される干渉パラメータに基づいて、干渉の処理方式を決定する。
【０１２８】
オプションとして、本発明の実施例では、上記処理方式は、第２の基地局が第２の基地局の送信電力を低下させること、第２の基地局が下りバックオフを行うこと、第２の基地局が送信電力を第３の持続時間低下させてから該送信電力を増加すること、第２の基地局が下りバックオフを第４の持続時間行ってからそれを取り消すことのうちの少なくとも１つを含むことができる。
【０１２９】
オプションとして、本発明の実施例では、第３の持続時間と第４の持続時間は同じであってもよいし、異なっていてもよい。
【０１３０】
本発明の実施例では、第２の基地局はタイマーを始動し、且つ第２の基地局の送信電力（即ち、送信電力１）を送信電力２まで低下させた時点から、第３の持続時間の後、第２の基地局の送信電力を送信電力２から送信電力３まで増加することができ、該送信電力３が送信電力２より大きいことが理解され得る。なお、送信電力３は、送信電力１より小さくてもよく、又は送信電力１に等しくてもよく、又は送信電力１より大きくてもよい。
【０１３１】
本発明の実施例は干渉処理方法を提供し、第２の基地局は、第１の基地局から送信された干渉情報（該干渉情報は第１の基地局が第２の基地局により干渉されたときの干渉パラメータを示すために使用される）を受信し、且つ該干渉パラメータに基づいて干渉の処理方式を決定することができる。第２の基地局は、第１の基地局が第２の基地局により干渉されたときの干渉パラメータに基づいて、干渉の処理方式を決定して、第２の基地局による第１の基地局の干渉を処理することができるため、第２の基地局による第１の基地局の干渉を低減することができ、それにより第１の基地局と第２の基地局との間の信号伝送性能を向上させることができる。
【０１３２】
オプションとして、本発明の実施例では、上記ステップ６０３の後に、本発明の実施例による干渉処理方法は下記のステップ８０１からステップ８０３をさらに含むことができる。
【０１３３】
ステップ８０１、第２の基地局は干渉の処理方式に従って干渉を処理する。
【０１３４】
オプションとして、本発明の実施例では、第２の基地局は、第２の基地局の送信電力を低下させ、下りバックオフを行い、送信電力を第３の持続時間低下させてから該送信電力を増加し、及び／又は、下りバックオフを第４の持続時間行ってからそれを取り消すことができる。
【０１３５】
ステップ８０２、第２の基地局による第１の基地局の干渉の程度が第２のターゲット閾値以下である場合、第１の基地局は第１の基地局と第２の基地局との間のインターフェースを解放する。
【０１３６】
なお、本発明の実施例では、第２の基地局による第１の基地局の干渉の程度の説明については、上記実施例における具体的な説明を参照でき、ここではその説明を省略する。
【０１３７】
ステップ８０３、第２の基地局は、第５の持続時間内で第１の基地局から送信された干渉情報を受信しない場合、第２の基地局は、第５の持続時間の後、第２の基地局と第１の基地局との間のインターフェースを解放する。
【０１３８】
本発明の実施例では、第２の基地局は、送信電力を第３の持続時間低下させてから該送信電力増加し、及び／又は、下りバックオフを第４の持続時間行ってからそれを取り消した後に、第５の持続時間内で第１の基地局から送信された干渉情報を受信しない場合、第５の持続時間の後、第２の基地局と第１の基地局との間のインターフェースを解放することが理解され得る。
【０１３９】
なお、本発明の実施例では、第２の基地局は、第５の持続時間内で前記第１の基地局から送信された干渉情報を受信した場合、上記実施例２におけるステップ６０１からステップ６０３、及びその他のステップを繰り返し実行する。
【０１４０】
本発明の実施例では、第２の基地局による第１の基地局の干渉の程度が第２のターゲット閾値以下である場合、第１の基地局は第１の基地局と第２の基地局との間のインターフェースを解放することができるため、第１の基地局の内部メモリを解放し、第１の基地局の記憶空間を節約することができ、第２の基地局は、第５の持続時間内で第１の基地局から送信された干渉情報を受信しない場合、第２の基地局は、第５の持続時間の後、第２の基地局と第１の基地局との間のインターフェースを解放するため、第２の基地局の内部メモリを解放し、第２の基地局の記憶空間を節約することができる。
【０１４１】
オプションとして、本発明の実施例では、上記ステップ６０３の後に、本発明の実施例による干渉処理方法は下記のステップ９０１からステップ９０３をさらに含むことができる。
【０１４２】
ステップ９０１、第２の基地局は干渉の処理方式に従って干渉を処理する。
【０１４３】
ステップ９０２、第２の基地局による第１の基地局の干渉の程度が第１の閾値以下である場合、第１の基地局は第２の基地局にフィードバック情報を送信する。
【０１４４】
本発明の実施例では、上記フィードバック情報は、第２の基地局による第１の基地局の干渉の程度が第１の閾値以下であることを示すために使用される。
【０１４５】
なお、本発明の実施例では、第１の閾値は第２のターゲット閾値に対応する。
【０１４６】
オプションとして、本発明の実施例では、第２の基地局による第１の基地局の干渉の程度は、第２の基地局から第１の基地局に送信されたＲＳの測定結果、及び第１の基地局から送信されたフィードバック情報のうちの少なくとも１つにより決定される。
【０１４７】
ステップ９０３、第２の基地局は、第１の基地局から送信されたフィードバック情報を受信する。
【０１４８】
なお、本発明の実施例では、ステップ９０２及びステップ９０３の説明について、上記実施例におけるステップ３０２及びステップ３０３の具体的な説明を参照でき、ここではその説明を省略する。
【０１４９】
本発明の実施例では、第２の基地局による第１の基地局の干渉の程度が第１の閾値以下である場合、第１の基地局は、第２の基地局による第１の基地局の干渉が既に低減したことを第２の基地局にフィードバックするために、第２の基地局にフィードバック情報を送信することができる。
【０１５０】
図８は本発明の実施例に係るターゲット装置の可能な構造模式図を示し、該ターゲット装置は上記実施例における第２の基地局又は干渉管理装置であってもよい。図８に示すように、本発明の実施例によるターゲット装置８０は、受信ユニット８１及び決定ユニット８２を含むことができる。
【０１５１】
ここで、受信ユニット８１は、第１の基地局から送信された、第１の基地局が第２の基地局により干渉されたときの干渉パラメータを示すための干渉情報を受信するために使用される。決定ユニット８２は、受信ユニット８１が受信した干渉情報で示される干渉パラメータに基づいて、干渉の処理方式を決定するために使用される。
【０１５２】
可能な実現形態において、ターゲット装置は干渉管理装置である。決定ユニット８２は、具体的には、干渉パラメータに基づいて、ＲＳの第１の送信リソースを含むＲＳの第１のパラメータを指示するための第１の指示情報を第１の基地局及び第２の基地局に送信し、且つ第２の基地局から送信された、第２の基地局が第１の送信リソース上で第１の基地局に送信されたＲＳを測定した結果である測定結果を受信するとともに、測定結果に基づいて、処理方式を決定するために使用される。
【０１５３】
可能な実現形態において、上記処理方式は第１の方式及び第２の方式のうちの少なくとも１つを含むことができる。ここで、第１の方式は、干渉管理装置が、アクセスチャネルの情報を調整すること、第１の基地局の送信リソースを調整すること、ＭＣＳのレベルのうちの少なくとも１つを調整することを第１の基地局に指示するための第２の指示情報を第１の基地局に送信することであってもよい。第２の方式は、干渉管理装置は、第２の基地局が第２の基地局の送信電力を低下させること、第２の基地局が下りバックオフを行うこと、第２の基地局が送信電力を第１の持続時間低下させてから送信電力を増加すること、第２の基地局が下りバックオフを第２の持続時間行ってからそれを取り消すことのうちの少なくとも１つを指示するための第３の指示情報を第２の基地局に送信することであってもよい。
【０１５４】
可能な実現形態において、受信ユニット８１はさらに、第１の基地局から送信された干渉情報を受信する前に、第１の基地局から送信された、第１の基地局と干渉管理装置との間のインターフェースを確立するよう要求するための第１の要求メッセージを受信し、且つ第２の基地局から送信された、第２の基地局と干渉管理装置との間のインターフェースを確立するよう要求するための第２の要求メッセージを受信するために使用される。本発明の実施例によるターゲット装置８０は、確立ユニットをさらに含むことができる。ここで、確立ユニットは、受信ユニット８１が受信した第１の要求メッセージに基づいて、干渉管理装置と第１の基地局との間のインターフェースを確立し、且つ受信ユニット８１が受信した第２の要求メッセージに基づいて、干渉管理装置と第２の基地局との間のインターフェースを確立するために使用される。
【０１５５】
可能な実現形態において、ターゲット装置は第２の基地局である。上記処理方式は、第２の基地局が第２の基地局の送信電力を低下させること、第２の基地局が下りバックオフを行うこと、第２の基地局が送信電力を第３の持続時間低下させてから該送信電力を増加すること、第２の基地局が下りバックオフを第４の持続時間行ってからそれを取り消すこと、のうちの少なくとも１つを含むことができる。
【０１５６】
可能な実現形態において、図９に示すように、図８を参照して、本発明の実施例によるターゲット装置８０は、送信ユニット８３及び確立ユニット８４をさらに含むことができる。ここで、送信ユニット８３は、受信ユニット８１が第１の基地局から送信された干渉情報を受信する前に、第１の基地局と第２の基地局との間のインターフェースを確立するよう要求するための第３の要求メッセージを第１の基地局により第２の基地局に送信するために使用される第２の基地局の識別子を示すためのシステム情報を送信する。受信ユニット８１はさらに、第１の基地局から送信された第３の要求メッセージを受信する。確立ユニット８４は、受信ユニット８１が受信した第３の要求メッセージに基づいて、第２の基地局と第１の基地局との間のインターフェースを確立する。
【０１５７】
可能な実現形態において、図１０に示すように、図９を参照して、本発明の実施例によるターゲット装置８０は、解放ユニット８５をさらに含むことができる。ここで、解放ユニット８５は、第２の基地局が処理方式に従って干渉を処理した後に、第２の基地局が第５の持続時間内で第１の基地局から送信された干渉情報を受信しない場合、第５の持続時間の後、確立ユニット８４により確立された第２の基地局と第１の基地局との間のインターフェースを解放するために使用される。
【０１５８】
可能な実現形態において、受信ユニット８１はさらに、ターゲット装置が処理方式に従って干渉を処理した後に、第１の基地局から送信された、第２の基地局による第１基地局の干渉の程度が第１の閾値以下であることを示すためのフィードバック情報を受信するために使用される。
【０１５９】
可能な実現形態において、本発明の実施例によるターゲット装置８０は、送信ユニットをさらに含むことができる。ここで、送信ユニットは、ターゲット装置が第２の基地局による第１基地局の干渉の程度が第１の閾値以下であると判定した場合、第１の基地局がＲＳの送信を停止するように指示するための第４の指示情報を第１の基地局に送信し、又は、ターゲット装置が第２の基地局による第１基地局の干渉の程度が第１の閾値以下であると判定した場合、ＲＳの第２の送信リソースを含むＲＳの第２のパラメータを指示するための第５の指示情報を第１の基地局及び第２の基地局に送信するために使用される。
【０１６０】
可能な実現形態において、第２の基地局による第１基地局の干渉の程度は、第２の基地局から第１の基地局に送信されたＲＳの測定結果、及び第１の基地局から送信されたフィードバック情報のうちの少なくとも１つにより決定される。
【０１６１】
本発明の実施例によるターゲット装置は上記方法の実施例におけるターゲット装置で実現される各プロセスを実現することができ、重複を避けるために、ここでは具体的な説明を省略する。
【０１６２】
本発明の実施例は、第１の基地局から送信された干渉情報（該干渉情報は第１の基地局が第２の基地局により干渉されたときの干渉パラメータを示すために使用される）を受信し、且つ該干渉パラメータに基づいて干渉の処理方式を決定することができるターゲット装置を提供する。ターゲット装置は、第１の基地局が第２の基地局により干渉されたときの干渉パラメータに基づいて、干渉の処理方式を決定して、第２の基地局による第１の基地局の干渉を処理することができるため、第２の基地局による第１の基地局の干渉を低減することができ、それにより第１の基地局と第２の基地局との間の信号伝送性能を向上させることができる。
【０１６３】
図１１は本発明の実施例に係る基地局の可能な構造模式図を示し、該基地局は上記実施例における第１の基地局であってもよい。図１１に示すように、本発明の実施例による基地局９０は、送信ユニット９１を含むことができる。
【０１６４】
ここで、送信ユニット９１は、第１基地局が第２の基地局により干渉されたときの干渉パラメータを示すための干渉情報を第２の基地局又は干渉管理装置であるターゲット装置に送信するために使用される。
【０１６５】
可能な実現形態において、ターゲット装置は干渉管理装置である。図１２に示すように、図１１を参照して、本発明の実施例による基地局９０は、受信ユニット９２をさらに含むことができる。ここで、受信ユニット９２は、送信ユニット９１がターゲット装置に干渉情報を送信した後に、干渉管理装置から送信された、ＲＳの第１の送信リソースを含むＲＳの第１のパラメータを指示するための第１のターゲット指示情報を受信するために使用される。送信ユニット９１はさらに、受信ユニット９２が受信した第１のターゲット指示情報で指示された第１の送信リソース上でＲＳを送信するために使用される。
【０１６６】
可能な実現形態において、送信ユニット９１はさらに、ターゲット装置に干渉情報を送信する前に、第１の基地局と干渉管理装置との間のインターフェースを確立するよう要求するための第１のターゲット要求メッセージを干渉管理装置に送信するために使用される。
【０１６７】
可能な実現形態において、ターゲット装置は第２の基地局である。図１３に示すように、図１１を参照して、本発明の実施例による基地局９０は、取得ユニット９３及び確立ユニット９４をさらに含むことができる。ここで、取得ユニット９３は、送信ユニット９１がターゲット装置に干渉情報を送信する前に、第１の基地局が干渉された場合、信号強度が第１のターゲット閾値以上である、第２の基地局の識別子を含むターゲットシステム情報を取得するために使用される。送信ユニット９１はさらに、取得ユニット９３により取得されたターゲットシステム情報に含まれる第２の基地局の識別子に基づいて、第１の基地局と第２の基地局との間のインターフェースを確立するよう要求するための第２のターゲット要求メッセージを第２の基地局に送信するために使用される。確立ユニット９４は、第１の基地局と第２の基地局との間のインターフェースを確立するために使用される。
【０１６８】
可能な実現形態において、図１４に示すように、図１３を参照して、本発明の実施例による基地局９０は、解放ユニット９５をさらに含むことができる。ここで、解放ユニット９５は、第２の基地局による第１基地局の干渉の程度が第２のターゲット閾値以下である場合、確立ユニット９４により確立された第１の基地局と第２の基地局との間のインターフェースを解放するために使用される。
【０１６９】
可能な実現形態において、送信ユニット９１はさらに、第２の基地局による第１基地局の干渉の程度が第２のターゲット閾値以下である場合、第２の基地局による第１基地局の干渉の程度が第２のターゲット閾値以下であることを示すためのフィードバック情報をターゲット装置に送信するために使用される。
【０１７０】
可能な実現形態において、図１２に示すように、図１１を参照して、本発明の実施例による基地局９０は、受信ユニット９２をさらに含むことができる。ここで、受信ユニット９２は、第２の基地局による第１基地局の干渉の程度が第２のターゲット閾値以下である場合、ターゲット装置から送信された、ＲＳの送信を停止するように第１の基地局に指示するための第２のターゲット指示情報を受信し、又は、第２の基地局による第１基地局の干渉の程度が第２のターゲット閾値以下である場合、ターゲット装置から送信された、ＲＳの第２の送信リソースを含むＲＳの第２のパラメータを指示するための第３のターゲット指示情報を受信するために使用される。
【０１７１】
本発明の実施例による基地局は上記方法の実施例における第１の基地局で実現される各プロセスを実現することができ、重複を避けるために、ここでは具体的な説明を省略する。
【０１７２】
本発明の実施例は基地局を提供し、第１の基地局が第２の基地局に干渉情報（該干渉情報は第１の基地局が第２の基地局により干渉されたときの干渉パラメータを示すために使用される）を送信でき、それにより第２の基地局が第１の基地局から送信された干渉情報で示される干渉パラメータに基づいて、干渉の処理方式を決定できる。第２の基地局は、第１の基地局が第２の基地局により干渉されたときの干渉パラメータに基づいて、干渉の処理方式を決定して、第２の基地局による第１の基地局の干渉を処理することができるため、第２の基地局による第１の基地局の干渉を低減することができ、それにより第１の基地局と第２の基地局との間の信号伝送性能を向上させることができる。
【０１７３】
図１５は本発明の実施例による干渉管理装置のハードウェア模式図を示す。図１５に示すように、該干渉管理装置１５０は、少なくとも１つのプロセッサ１５１と、メモリ１５２と、ユーザーインターフェース１５３及び少なくとも１つのネットワークインターフェース１５４とを含むが、それらに限定されていない。干渉管理装置１５０における各アセンブリはバスシステム１５５を介して一体に結合される。
【０１７４】
なお、当業者であれば、図１５に示す干渉管理装置の構造は干渉管理装置を限定するものではなく、干渉管理装置は図１５に示されるものよりも多く又は少ない部材、又はいくつかの部材の組み合わせ、又は異なる部材構成を含み得ることを理解できる。
【０１７５】
ここで、ネットワークインターフェース１５４は、第１の基地局から送信された、第１基地局が第２の基地局により干渉されたときの干渉パラメータを示すための干渉情報を受信するために使用される。プロセッサ１５１は、ネットワークインターフェース１５４が受信した該干渉情報で示される該干渉パラメータに基づいて、該干渉の処理方式を決定するために使用される。
【０１７６】
本発明の実施例は、第１の基地局から送信された干渉情報（該干渉情報は第１の基地局が第２の基地局により干渉されたときの干渉パラメータを示すために使用される）を受信し、且つ該干渉パラメータに基づいて干渉の処理方式を決定することができる干渉管理装置を提供する。干渉管理装置は、第１の基地局が第２の基地局により干渉されたときの干渉パラメータに基づいて、干渉の処理方式を決定して、第２の基地局による第１の基地局の干渉を処理することができるため、第２の基地局による第１の基地局の干渉を低減することができ、それにより第１の基地局と第２の基地局との間の信号伝送性能を向上させることができる。
【０１７７】
バスシステム１５５はこれらのアセンブリ間の接続と通信を実現するために使用されることが理解され得る。バスシステム１５５はデータバスに加えて、電源バス、制御バス及び状態信号バスをさらに含む。しかし、明確に説明するために、図１５には様々なバスはバスシステム１５５として表記される。
【０１７８】
ここで、ユーザーインターフェース１５３はディスプレイ、キーボード又はポインティングデバイス（例えば、マウス、トラックボール、タッチパネル又はタッチスクリーン）などを含むことができる。
【０１７９】
本発明の実施例におけるメモリ１５２は、揮発性メモリ又は不揮発性メモリであってもよく、又は揮発性メモリ及び不揮発性メモリの両方を含んでもよいことが理解され得る。ここで、不揮発性メモリは、読み出し専用メモリ（Ｒｅａｄ−Ｏｎｌｙ  Ｍｅｍｏｒｙ、ＲＯＭ）、プログラマブル読み出し専用メモリ（Ｐｒｏｇｒａｍｍａｂｌｅ  ＲＯＭ、ＰＲＯＭ）、消去可能なプログラマブル読み出し専用メモリ（Ｅｒａｓａｂｌｅ  ＰＲＯＭ、ＥＰＲＯＭ）、電気的に消去可能なプログラマブル読み出し専用メモリ（Ｅｌｅｃｔｒｉｃａｌｌｙ  ＥＰＲＯＭ、ＥＥＰＲＯＭ）又はフラッシュメモリであってもよい。揮発性メモリは、ランダムアクセスメモリ（Ｒａｎｄｏｍ  Ａｃｃｅｓｓ  Ｍｅｍｏｒｙ、ＲＡＭ）であってもよく、外部キャッシュメモリとして使用される。例示的であるが限定的ではない説明により、例えば、スタティックランダムアクセスメモリ（Ｓｔａｔｉｃ  ＲＡＭ、ＳＲＡＭ）、ダイナミックランダムアクセスメモリ（Ｄｙｎａｍｉｃ  ＲＡＭ、ＤＲＡＭ）、同期ダイナミックランダムアクセスメモリ（Ｓｙｎｃｈｒｏｎｏｕｓ  ＤＲＡＭ、ＳＤＲＡＭ）、ダブルデータレート同期ダイナミックランダムアクセスメモリ（Ｄｏｕｂｌｅ  Ｄａｔａ  Ｒａｔｅ  ＳＤＲＡＭ、ＤＤＲＳＤＲＡＭ）、強化型同期ダイナミックランダムアクセスメモリ（Ｅｎｈａｎｃｅｄ  ＳＤＲＡＭ、ＥＳＤＲＡＭ）、同期リンクダイナミックランダムアクセスメモリ（Ｓｙｎｃｈ  ｌｉｎｋ  ＤＲＡＭ、ＳＬＤＲＡＭ）及びダイレクトラムバスランダムアクセスメモリ（Ｄｉｒｅｃｔ  Ｒａｍｂｕｓ  ＲＡＭ、ＤＲＲＡＭ）といった様々な形態のＲＡＭは使用可能である。本発明の実施例で説明されたメモリ１５２はこれら及び任意の他の適切なタイプのメモリを含むが、これらに限定されないことを意図している。
【０１８０】
いくつかの実施態様では、メモリ１５２には、実行可能なモジュール又はデータ構造、又はこれらのサブセット、又はこれらの拡張セットであるオペレーティングシステム１５２１及びアプリケーションプログラム１５２２が記憶されている。
【０１８１】
ここで、オペレーティングシステム１５２１は、フレームワークレイヤ、コアライブラリレイヤ、ドライバレイヤなどの様々なシステムプログラムを含み、各基本サービスを実現するとともに、ハードウェアに基づくタスクを処理するために使用される。アプリケーションプログラム１５２２は、例えば、メディアプレイヤ、ブラウザなどの様々なアプリケーションプログラムを含み、様々なアプリケーションサービスを実現するために使用される。本発明の実施例の方法を実現するためのプログラムはアプリケーションプログラム１５２２に含まれ得る。
【０１８２】
本発明の実施例では、干渉管理装置１５０はさらに、メモリ１５２に記憶され、且つプロセッサ１５１上で実行可能なコンピュータプログラムを含むことができ、該コンピュータプログラムは、プロセッサ１５１により実行されるときに本発明の実施例による方法を実現する。
【０１８３】
上記本発明の実施例で開示された方法は、プロセッサ１５１に適用され、又はプロセッサ１５１により実現されることができる。プロセッサ１５１は信号処理能力を有する集積回路チップであり得る。実現プロセスにおいて、上記方法の各ステップはプロセッサ１５１におけるハードウェアの集積論理回路又はソフトウェア形式のコマンドにより完成されることができる。上記プロセッサ１５１は、汎用プロセッサ、ディジダル信号プロセッサ（Ｄｉｇｉｔａｌ  Ｓｉｇｎａｌ  Ｐｒｏｃｅｓｓｏｒ、ＤＳＰ）、専用集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）又は他のプログラマブル論理素子、ディスクリートゲートやトランジスタ論理素子、ディスクリートハードウェアアセンブリであってもよい。本発明の実施例に開示される各方法、ステップ及び論理ブロック図を実現又は実行することができる。汎用プロセッサはマイクプロセッサであってもよく、任意の従来のプロセッサなどであってもよい。本発明の実施例で開示された方法を組み合わせるステップは、ハードウェアデコードプロセッサにより実行及び完了され、又はデコードプロセッサにおけるハードウェアとソフトウェアモジュールとの組み合わせにより実行及び完了されると直接具体化されることができる。ソフトウェアモジュールは、ランダムメモリ、フラッシュメモリ、読み出し専用メモリ、プログラマブル読み出し専用メモリ又は電気的書き換え可能プログラマブルメモリ、レジスタなどの本分野における成熟したコンピュータ読み取り可能記憶媒体に配置されることができる。該コンピュータ読み取り可能記憶媒体は、メモリ１５２に配置され、プロセッサ１５１はメモリ１５２における情報を読み取り、そのハードウェアと組み合わせて上記方法を完了する。具体的には、該コンピュータ読み取り可能記憶媒体にはコンピュータプログラムが記憶され、コンピュータプログラムがプロセッサ１５１により実行されるときに本発明の実施例による方法の実施例の各ステップを実現する。
【０１８４】
本発明の実施例に記載のこれらの実施例は、ハードウェア、ソフトウェア、ファームウェア、ミドルウェア、マイクロコード又はその組み合わせにより実現され得ることが理解され得る。ハードウェアによる実現について、プロセッサユニットは、１つ又は複数のＡＳＩＣ、ＤＳＰ、ディジタル信号プロセッサデバイス（ＤＳＰ  Ｄｅｖｉｃｅ、ＤＳＰＤ）、プログラマブル可能論理デバイス（Ｐｒｏｇｒａｍｍａｂｌｅ  Ｌｏｇｉｃ  Ｄｅｖｉｃｅ、ＰＬＤ）、ＦＰＧＡ、汎用プロセッサ、コントローラ、マイクロコントローラ、マイクプロセッサ、本発明に記載の機能を実行するための他の電子ユニット、又はその組み合わせにおいて実現され得る。
【０１８５】
ソフトウェアによる実現について、本発明の実施例に記載の機能を実行するためのモジュール（例えば、プロセス、関数など）により本発明の実施例に記載の技術を実現することができる。ソフトウェアコードは、メモリに記憶され、且つプロセッサにより実行されることができる。メモリは、プロセッサの内部又はプロセッサの外部で実現され得る。
【０１８６】
オプションとして、本発明の実施例は、図１５に示すような少なくとも１つのプロセッサ１５１と、メモリ１５２と、メモリ１５２に記憶され、且つ前記プロセッサ１５１上で実行可能なコンピュータプログラムを含む干渉管理装置をさらに提供し、該コンピュータプログラムは、前記プロセッサ１５１により実行されるときに上記方法の実施例の各プロセスを実現し、且つ同じ技術的効果を達成することができ、重複を避けるために、ここではその説明を省略する。
【０１８７】
図１６は、本発明の実施例による基地局のハードウェア模式図を示し、ここで、該基地は、上記実施例における第１の基地局又は第２の基地局であってもよい。図１６に示すように、基地局１６０は、少なくとも１つのプロセッサ１６１と、トランシーバ１６２と、メモリ１６３と、ユーザーインターフェース１６４と、バスインターフェース１６５とを含む。
【０１８８】
ここで、図１６に示す基地局は第１の基地局である場合、トランシーバ１６２は、第１の基地局が第２の基地局により干渉されたときの干渉パラメータを示すための干渉情報を第２の基地局又は干渉管理装置であるターゲット装置に送信するために使用される。
【０１８９】
本発明の実施例は第１の基地局である基地局を提供し、該第１の基地局が第２の基地局に干渉情報（該干渉情報は第１の基地局が第２の基地局により干渉されたときの干渉パラメータを示すために使用される）を送信でき、それにより第２の基地局が該第１の基地局から送信された干渉情報で示される干渉パラメータに基づいて干渉の処理方式を決定できる。第２の基地局は、第１の基地局が第２の基地局により干渉されたときの干渉パラメータに基づいて、干渉の処理方式を決定して、第２の基地局による第１の基地局の干渉を処理することができるため、第２の基地局による第１の基地局の干渉を低減することができ、それにより第１の基地局と第２の基地局との間の信号伝送性能を向上させることができる。
【０１９０】
図１６に示す基地局が第２の基地局である場合、トランシーバ１６２は、第１の基地局から送信された、第１の基地局が第２の基地局により干渉されたときの干渉パラメータを示すための干渉情報を受信するために使用される。プロセッサ１６１は、トランシーバ１６２が受信した該干渉情報で示される該干渉パラメータに基づいて、該干渉の処理方式を決定するために使用される。
【０１９１】
本発明の実施例は、第２の基地局である基地局を提供し、該第２の基地局は、第１の基地局から送信された干渉情報（該干渉情報は第１の基地局が第２の基地局により干渉されたときの干渉パラメータを示すために使用される）を受信し、且つ該干渉パラメータに基づいて干渉の処理方式を決定することができる。第２の基地局は、第１の基地局が第２の基地局により干渉されたときの干渉パラメータに基づいて、干渉の処理方式を決定して、第２の基地局による第１の基地局の干渉を処理することができるため、第２の基地局による第１の基地局の干渉を低減することができ、それにより第１の基地局と第２の基地局との間の信号伝送性能を向上させることができる。
【０１９２】
ここで、プロセッサ１６１は、バスアーキテクチャの管理及び通常の処理を担当することができ、プロセッサ１６１は、メモリ１６３内のプログラムを読み取って実行して、処理機能及び基地局１６０への制御を実現することができる。メモリ１６３は、動作を実行するときにプロセッサ１６１により使用されるデータを記憶することができる。プロセッサ１６１とメモリ１６３は一体に集積されてもよく、独立して設けられてもよい。
【０１９３】
本発明の実施例では、基地局１６０は、メモリ１６３に記憶され、且つプロセッサ１６１上で実行可能なコンピュータプログラムをさらに含むことができ、該コンピュータプログラムは、プロセッサ１６１により実行されるときに、本発明の実施例による方法のステップを実現する。
【０１９４】
図１６において、バスアーキテクチャは任意の数の相互接続されたバス及びブリッジを含むことができ、具体的には、プロセッサ１６１により表される１つ又は複数のプロセッサとメモリ１６３により表されるメモリの様々な回路により一体に接続される。バスアーキテクチャはさらに、周辺機器、電圧レギュレータ及び電力管理回路といった様々他の回路を一体に接続することができ、これらは本分野で周知であるため、本発明の実施例ではさらなる説明を省略する。バスインターフェースはインターフェースを提供する。トランシーバ１６２は複数の素子であってもよく、即ち、送信機及び受信機を含み、伝送媒体上で各種の他の装置と通信するためのユニットを提供する。ユーザーインターフェース１６４はさらに、必要な装置を外部及び内部で接続できるインターフェースであってもよく、接続される装置はキーパッド、ディスプレイ、スピーカー、マイクロホン、操縦レバーなどを含むが、これらに限定されない。
【０１９５】
オプションとして、本発明の実施例は図１６に示すような少なくとも１つのプロセッサ１６１と、メモリ１６２と、メモリ１６２に記憶され、且つ前記プロセッサ１６１上で実行可能なコンピュータプログラムを含む基地局をさらに提供し、該コンピュータプログラムは、前記プロセッサ１６１により実行されるとき、上記方法の実施例の各プロセスが実現し、且つ同じ技術的効果を達成することができる。重複を避けるために、ここではその説明を省略する。
【０１９６】
本発明の実施例は、コンピュータプログラムが記憶されるコンピュータ読み取り可能記憶媒体をさらに提供し、該コンピュータプログラムが図１５に示すようなプロセッサ１５１又は図１６に示すようなプロセッサ１６１により実行されるときに、上記方法の実施例の各プロセスを実現し、且つ同じ技術的効果を達成することができる。重複を避けるために、ここではその説明を省略する。ここで、前記コンピュータ読み取り可能記憶媒体は、例えばＲＯＭ、ＲＡＭ、磁気ディスク又は光ディスクなどである。
【０１９７】
なお、本明細書では、用語「含む」、「包含する」又はそれらの他の変形は、非排他的な  包含をカバーすることを意図しているため、一連の要素を含むプロセス、方法、物品又は装置には、それらの要素だけでなく、明確に列挙されていない他の要素が含まれ、又はこのようなプロセス、方法、物品又は装置に固有の要素も含まれる。これ以上の制限がない場合、「１つの…を含む」という文で定義された要素は、該要素を含むプロセス、方法、物品又は装置内の他の同じ要素の存在を除外しない。
【０１９８】
以上の実施態様の説明により、当業者は、上記実施例の方法はソフトウェア及び必要な一般的なハードウェアプラットフォームにより実現され得ることを明確に理解することができる。もちろん、ハードウェアにより実現され得るが、多くの場合は、前者がよりよい実施態様である。このような理解に基づいて、本願の技術的解決手段は本質的にソフトウェア製品の形式で具体化することができ、或いは、従来の技術に寄与する部分はソフトウェア製品の形式で具体化することができる。該コンピュータソフトウェア製品はストレージ媒体（例えば、ＲＯＭ／ＲＡＭ、磁気ディスク、光ディスクなど）に記憶され、１つの端末（携帯電話、コンピュータ、サーバー、エアコン、又はネットワーク装置などであってもよい）に本願の各実施例に記載の方法を実行させるためのいくつかのコマンドを含む。
【０１９９】
以上に図面を参照して本願の実施例を説明しているが、本願は上記の具体的な実施形態に限定されるものではない。上記の具体的な実施形態は例示的なものに過ぎず、限定的なものではない。本願の示唆の下で、当業者は、本願の趣旨及び請求項により保護される範囲から逸脱することなく、多くの形態を作ることができ、それらはいずれも、本願の保護範囲内含まれるものとする。
【図１】
2021534619.tif 000003
【図２】
2021534619.tif 000004
【図３】
2021534619.tif 000005
【図４】
2021534619.tif 000006
【図５】
2021534619.tif 000007
【図６】
2021534619.tif 000008
【図７】
2021534619.tif 000009
【図８】
2021534619.tif 000010
【図９】
2021534619.tif 000011
【図１０】
2021534619.tif 000012
【図１１】
2021534619.tif 000013
【図１２】
2021534619.tif 000014
【図１３】
2021534619.tif 000015
【図１４】
2021534619.tif 000016
【図１５】
2021534619.tif 000017
【図１６】
2021534619.tif 000018
【手続補正書】
【提出日】令和3年2月4日(2021.2.4)
【手続補正１】
【補正対象書類名】特許請求の範囲
【補正対象項目名】全文
【補正方法】変更
【補正の内容】
【特許請求の範囲】
【請求項１】
第１の基地局から送信された、前記第１の基地局が第２の基地局により干渉されたときの干渉パラメータを示すための干渉情報を、前記第２の基地局又は干渉管理装置であるターゲット装置が受信することと、
前記ターゲット装置は前記干渉パラメータに基づいて、前記干渉の処理方式を決定することと、を含む、ことを特徴とする干渉処理方法。
【請求項２】
前記ターゲット装置は前記干渉管理装置であり、
前記ターゲット装置は前記干渉パラメータに基づいて、前記干渉の処理方式を決定することは、
前記干渉管理装置は前記干渉パラメータに基づいて、基準信号ＲＳの第１の送信リソースを含む前記ＲＳの第１のパラメータを指示するための第１の指示情報を前記第１の基地局及び前記第２の基地局に送信することと、
前記干渉管理装置は前記第２の基地局から送信された、前記第２の基地局が前記第１の基地局により前記第１の送信リソース上で送信された前記ＲＳを測定した結果である測定結果を受信することと、
前記干渉管理装置は前記測定結果に基づいて、前記処理方式を決定することと、を含む、ことを特徴とする請求項１に記載の方法。
【請求項３】
前記処理方式は、
前記干渉管理装置は、アクセスチャネルの情報を調整すること、前記第１の基地局の送信リソースを調整すること、変調・符号化方式ＭＣＳのレベルのうちの少なくとも１つを調整することを前記第１の基地局に指示するための第２の指示情報を前記第１の基地局に送信する第１の方式と、
前記干渉管理装置は、前記第２の基地局が、前記第２の基地局の送信電力を低下させること、前記第２の基地局が下りバックオフを行うこと、前記第２の基地局が前記送信電力を第１の持続時間低下させてから前記送信電力を増加すること、前記第２の基地局が下りバックオフを第２の持続時間行ってからそれを取り消すことのうちの少なくとも１つを指示するための第３の指示情報を前記第２の基地局に送信する第２の方式と、のうちの少なくとも１つを含む、ことを特徴とする請求項２に記載の方法。
【請求項４】
前記ターゲット装置は第１の基地局から送信された干渉情報を受信する前に、
前記干渉管理装置は前記第１の基地局から送信された、前記第１の基地局と前記干渉管理装置との間のインターフェースを確立するよう要求するための第１の要求メッセージを受信し、且つ前記第２の基地局から送信された、前記第２の基地局と前記干渉管理装置との間のインターフェースを確立するよう要求するための第２の要求メッセージを受信することと、
前記干渉管理装置は、前記第１の要求メッセージに基づいて、前記干渉管理装置と前記第１の基地局との間のインターフェースを確立し、且つ前記第２の要求メッセージに基づいて、前記干渉管理装置と前記第２の基地局との間のインターフェースを確立することと、をさらに含む、ことを特徴とする請求項２又は３に記載の方法。
【請求項５】
前記ターゲット装置は前記第２の基地局であり、前記処理方式は、前記第２の基地局が前記第２の基地局の送信電力を低下させること、前記第２の基地局が下りバックオフを行うこと、前記第２の基地局が前記送信電力を第３の持続時間低下させてから前記送信電力を増加すること、前記第２の基地局が下りバックオフを第４の持続時間行ってからそれを取り消すことのうちの少なくとも１つを含む、ことを特徴とする請求項１に記載の方法。
【請求項６】
前記ターゲット装置は第１の基地局から送信された干渉情報を受信する前に、
前記第１の基地局と前記第２の基地局との間のインターフェースを確立するよう要求するための第３の要求メッセージを前記第１の基地局から前記第２の基地局に送信するための第２の基地局の識別子を示すために使用されるシステム情報を送信することと、
前記第２の基地局は前記第１の基地局から送信された前記第３の要求メッセージを受信することと、
前記第２の基地局は前記第３の要求メッセージに基づいて、前記第２の基地局と前記第１の基地局との間のインターフェースを確立することと、
前記第２の基地局は、前記処理方式に従って前記干渉を処理した後に、前記第２の基地局は第５の持続時間内で前記第１の基地局から送信された前記干渉情報を受信しない場合、前記第２の基地局は、前記第５の持続時間の後、前記第２の基地局と前記第１の基地局との間のインターフェースを解放することをさらに含む、ことを特徴とする請求項５に記載の方法。
【請求項７】
前記ターゲット装置は、前記処理方式に従って前記干渉を処理した後に、前記第１の基地局から送信された、前記第２の基地局による前記第１の基地局の干渉の程度が第１の閾値以下であることを示すためのフィードバック情報を受信することをさらに含み、
又は、
前記ターゲット装置は、前記第２の基地局による前記第１の基地局の干渉の程度が第１の閾値以下であると判定した場合、ＲＳの送信を停止するように前記第１の基地局に指示するための第４の指示情報を前記第１の基地局に送信すること、
又は、
前記ターゲット装置は、前記第２の基地局による前記第１の基地局の干渉の程度が前記第１の閾値以下であると判定した場合、前記ＲＳの第２の送信リソースを含むＲＳの第２のパラメータを指示するための第５の指示情報を前記第１の基地局及び前記第２の基地局に送信することをさらに含む、ことを特徴とする請求項１に記載の方法。
【請求項８】
前記第２の基地局による前記第１の基地局の干渉の程度は、
前記第２の基地局から前記第１の基地局に送信されたＲＳの測定結果、及び前記第１の基地局から送信されたフィードバック情報のうちの少なくとも１つにより決定される、ことを特徴とする請求項７に記載の方法。
【請求項９】
第１の基地局は、前記第２の基地局又は干渉管理装置であるターゲット装置に、前記第１の基地局が第２の基地局により干渉されたときの干渉パラメータを示すための干渉情報を送信することを含む、ことを特徴とする干渉処理方法。
【請求項１０】
前記ターゲット装置は前記干渉管理装置であり、
前記第１の基地局はターゲット装置に干渉情報を送信した後に、
前記第１の基地局は前記干渉管理装置から送信された、前記ＲＳの第１の送信リソースを含む基準信号ＲＳの第１のパラメータを指示するための第１のターゲット指示情報を受信することと、
前記第１の基地局は前記第１の送信リソース上で前記ＲＳを送信することと、をさらに含む、ことを特徴とする請求項９に記載の方法。
【請求項１１】
前記第１の基地局はターゲット装置に干渉情報を送信する前に、
前記第１の基地局は、前記第１の基地局と前記干渉管理装置との間のインターフェースを確立するよう要求するための第１のターゲット要求メッセージを前記干渉管理装置に送信することをさらに含む、ことを特徴とする請求項１０に記載の方法。
【請求項１２】
前記ターゲット装置は前記第２の基地局であり、
前記第１の基地局はターゲット装置に干渉情報を送信する前に、
前記第１の基地局が干渉された場合、前記第１の基地局は信号強度が第１のターゲット閾値以上であり、且つ前記第２の基地局の識別子を含むターゲットシステム情報を取得することと、
前記第１の基地局は前記第２の基地局の識別子に基づいて、第１の基地局と前記第２の基地局との間のインターフェースを確立するよう要求するための第２のターゲット要求メッセージを前記第２の基地局に送信することと、
前記第１の基地局は前記第１の基地局と前記第２の基地局との間のインターフェースを確立することと、
前記第２の基地局による前記第１の基地局の干渉の程度が第２のターゲット閾値以下である場合、前記第１の基地局は前記第１の基地局と前記第２の基地局との間のインターフェースを解放することを含む、ことを特徴とする請求項９に記載の方法。
【請求項１３】
前記第２の基地局による前記第１の基地局の干渉の程度が第２のターゲット閾値以下である場合、前記第１の基地局は前記第２の基地局による前記第１の基地局の干渉の程度が第２のターゲット閾値以下であることを示すためのフィードバック情報を前記ターゲット装置に送信することをさらに含み、及び／又は、
前記第２の基地局による前記第１の基地局の干渉の程度が第２のターゲット閾値以下である場合、前記第１の基地局は前記ターゲット装置から送信された、ＲＳの送信を停止するように前記第１の基地局に指示するための第２のターゲット指示情報を受信すること、
又は、
前記第２の基地局による前記第１の基地局の干渉の程度が前記第２のターゲット閾値以下である場合、前記第１の基地局は前記ターゲット装置から送信された、前記ＲＳの第２の送信リソースを含むＲＳの第２のパラメータを指示するための第３のターゲット指示情報を受信すること、をさらに含む、ことを特徴とする請求項９に記載の方法。
【請求項１４】
第２の基地局又は干渉管理装置であるターゲット装置であって、
第１の基地局から送信された、前記第１の基地局が前記第２の基地局により干渉されたときの干渉パラメータを示すための干渉情報を受信するための受信ユニットと、
前記受信ユニットが受信した前記干渉情報で示される前記干渉パラメータに基づいて、前記干渉の処理方式を決定するための決定ユニットと、を含む、ことを特徴とするターゲット装置。
【請求項１５】
第１の基地局である基地局であって、
第１の基地局が第２の基地局により干渉されたときの干渉パラメータを示すための干渉情報を前記第２の基地局又は干渉管理装置であるターゲット装置に送信するための送信ユニットを含む、ことを特徴とする基地局。
【国際調査報告】
2021534619.tif 000019
2021534619.tif 000020
2021534619.tif 000021
2021534619.tif 000022